(57)【特許請求の範囲】
【請求項１】
被面取り材の角の面取りをする面取り具であり、この面取り具を、底面に被面取り材の角を挿入する断面が直角な一定深さの逆Ｖ溝が長手方向に形成される本体と、本体の上面に形成された凹陥部に載置されて外周部分が逆Ｖ溝の谷部を横切って取付軸を中心に回転自在に取り付けられる一定の刃角を有する両刃の円盤刃とを有する構成にする一方、裏面に円盤刃が収容できるヌスミを形成した蓋を円盤刃の上に被せて円盤刃を凹陥部と蓋とで挟設するとともに、取付軸を円盤刃の刃角の半分かこれをやや上回る角度で逆Ｖ溝の延長方向で面取り方向に前傾させたことを特徴とする石膏ボード等の面取り具。
【発明の詳細な説明】
【０００１】
【発明の属する技術分野】
本発明は、建物の壁や天井等に貼るクロス及び表面材の下地である石膏ボードやコンパネの面取り具に関するものである。
【０００２】
【従来の技術】
本発明者は、先に、上記した石膏ボードやコンパネ（以下、石膏ボード等という）の面取りを簡単な操作できれいに仕上げることができる石膏ボード等の面取り具を特願平１１−０４３１７６号として提案している。この面取り具によれば、誰でもが熟練を要しないで均一に面取りできることから、重宝されている。
【０００３】
【発明が解決しようとする課題】
本発明は、これを更に改良したものであり、上記の長所を保有した上に更に使い勝手の良さと、低コスト化を可能にしたものである。
【０００４】
【課題を解決するための手段】
以上の課題の下、本発明は、被面取り材の角の面取りをする面取り具であり、この面取り具を、底面に被面取り材の角を挿入する断面が直角な一定深さの逆Ｖ溝が長手方向に形成される本体と、本体の上面に形成された凹陥部に載置されて外周部分が逆Ｖ溝の谷部を横切って取付軸を中心に回転自在に取り付けられる一定の刃角を有する両刃の円盤刃とを有する構成にする一方、裏面に円盤刃が収容できるヌスミを形成した蓋を円盤刃の上に被せて円盤刃を凹陥部と蓋とで挟設するとともに、取付軸を円盤刃の刃角の半分かこれをやや上回る角度で逆Ｖ溝の延長方向で面取り方向に前傾させたことを特徴とする石膏ボード等の面取り具を提供する。即ち、刃体は回転する円盤刃であるから、円周が万遍なく使用でき、寿命が長持ちする。又、このような面取り具は、円盤刃を本体に回転可能に取り付けた簡単な構造であるから、軽量で扱い易い上に安価に製作できる。
【０００５】
【発明の実施の形態】
以下、本発明の実施の形態を図面を参照して説明する。図１は本発明の一例を示す面取り具の平面図、図２は背面図、図３は一部底面図、図４は要部の縦断面図、図５は図４のＡ−Ａ断面図であるが、この面取り具は、本体１０と、本体１０に取り付けられる円盤刃１２とを有する。
【０００６】
本体１０は、手で握れる程度の幅を有する長細い直方体で、木材や樹脂或いはアルミ等で構成される。本体１０の上面は平坦面に形成されるが、底面には、断面が直角な逆Ｖ溝１４が少なくとも一つ形成される。但し、本例のものは、逆Ｖ溝１４が二つ並設されているものであり、以下、この例のもので説明して行く。この逆Ｖ溝１４は、中央側傾斜面１６と外方側傾斜面１８とで形成され、これが交わる谷部２２と中央側傾斜面１６同士が交わる山部２０とがそれぞれ稜線を形成して長手方向に延びている。
【０００７】
本体１０の一端寄りには、逆Ｖ溝１４の谷部２２を横切る円盤刃１２が回転自在に設けられる。この場合に使用する円盤刃１２は、どのようなものであってもよいが、クロス切断用等に市販されている両刃のものをそのまま使用してもよい。このようなものによれば、安価に入手できる利点がある。
【０００８】
本例における円盤刃１２は、本体１０の横断面では逆Ｖ溝１４の谷部２２の稜線に対して直角に設定され（図２）、縦断面では谷部２２の稜線に対して一定角度α傾けられている（図４）。これは、円盤刃１２の刃部１２ａは、２αの刃角を持っているためであり、その半分の角度α傾けることで、刃部１２ａの刃面と谷部２２の稜線とを平行にするためである。
【０００９】
尚、実際には、角度αをやや上回る角度傾ける方が被面取り材に対する食い付きが良くなって好ましい。これに対して、円盤刃１２として片刃のものを用い、真っ直ぐな面を底面に用いた場合は、この角度αは不要である（この場合も、実際は、やや傾ける方が食い付きが良くなって好ましい）。
【００１０】
円盤刃１２の取付けの具体的な構造は、円盤刃１２が以上の角度α傾くように、本体１０に対して山部２０側から頭付きナット筒（取付軸）２４を挿入し、これに円盤刃１２を嵌合するとともに、蓋２６を被せ、その上から蝶ボルト等２８を取付軸２４に螺合している。
【００１１】
尚、蓋２６を被せる部分の本体の上面には、凹陥部３０を形成し、蓋２６をこの凹陥部３０に陥入することによって、蓋２６と本体１０との上面がほぼ揃うようにしている。又、山部２０部分の本体１０の裏面に座繰り穴３２を形成し、この中に取付軸２４の頭部２４ａを沈み込ませて突出しないようにしている。更に、蓋２６の裏面には円盤刃１２が入り込むヌスミ３４を形成し、蝶ボルト等２８を締めても、蓋２６が円盤刃１２を押圧して回転を規制しないようにしてある。
【００１２】
以上の構成において、円盤刃１２は、二つの逆Ｖ溝１４の谷部２２をそれぞれ横切っている。尚、このときの円盤刃１２は、谷部２２の中央線に対して直角に横切るのが４５°で面取りする上に好ましいから、山部２０の角度を９０°より小さくしてできるだけそれに近づけるようにしている。但し、面取りをするのはパテを挿入するスペースを確保するためであるから、その角度についてはあまり厳密さは求められないのが通常である。又、円盤刃１２が入り込む谷部２２の下方の本体１０には開口部を設けるとともに、上方の蓋２６は狭幅にしてこの部分に略三角形の切削屑排出用の窓３６が形成できるようにしている（図３）。
【００１３】
次に、以上の面取り具を用いて石膏ボード等の被面取り材３８の面取りをする場合について説明する。図５は面取り状態を後方から見た本体１０の横断面図であるが、被面取り材３８を適当な台４０の上に載せておき、本体１０を手（この場合は左手）で持って逆Ｖ溝１４の内方傾斜面１６をその上面に、外方傾斜面１８をその側面に当てる。この状態で本体１０を動かす（手前に引く）と、円盤刃１２は回転しながら被面取り材３８の上側の角４２を面取りして行く。
【００１４】
この場合、円盤刃１２の取付軸２４が角度α傾いており、円盤刃１２が存する本体１０には切削屑を排出する窓３６が形成されているから、面取りは、ちょうどカンナを操作するように均一な状態でスムーズに行なわれる。一方、被面取り材３８の対向側の角４２を面取りする場合は、本体１０を右手で持ち変えて別の谷部２０をその角４２に当てて作業すればよい。従って、被面取り材３８を置き直す作業等は不要であり、能率化と省力化を可能にする。但し、これは、あくまで一例であり、本発明では、少なくとも、一つの谷部２０を有しておればよい。
【００１５】
ところで、この場合、外方傾斜面１８の長さを被面取り材（石膏ボード等）３８の厚み以下にしておくと、被面取り材３８を台４０から突出させておかなくてもよいから、便利である。この他、逆Ｖ溝１４を一つだけ設けるものであれば、右手専用のものとし、左手用の溝の形成は不要である。
【００１６】
図６は本発明の他の一例を示す横断面図であるが、本例のものは、円盤刃１２のに添わせて外周に歯４４ａ等を形成した転動盤４４を設けたものである（４６は一体化するピン）。これによると、転動盤４４の歯４４ａが被面取り材３０に食い込んで滑ることなく回転するから、それに伴って円盤歯１２も強制的に回転させられ、切れ味が良くなる効果がある。
【００１７】
【発明の効果】
以上、本発明によれば、回転する円盤刃による切断（面取り）であるから、刃部を円周上万遍なく使用でき、寿命が長持ちする。又、簡単な構造で、操作も容易であるから、誰でもが簡単に、しかも、均一で、きれいな面取りをすることができる。又、左右の手で持ち替えることで、対向する角をそのまま面取りできるから、石膏ボード等の置き変えは必要でなく、省力的であるとともに、能率も上がる。その他、構造が簡単であるから、安価に製作できる。
【図面の簡単な説明】
【図１】本発明の一例を示す面取り具の平面図である。
【図２】本発明の一例を示す面取り具の背面図である。
【図３】本発明の一例を示す面取り具の一部底面図である。
【図４】本発明の一例を示す面取り具の要部の縦断面図である。
【図５】図４のＡ−Ａ断面図である。
【図６】本発明の他の一例を示す面取り具の要部の横断面図である。
【符号の説明】
１０  本体
１２  円盤刃
１４  逆Ｖ溝
２４  取付軸
２６  蓋
３０  凹陥部
３４  ヌスミ
３８  被面取り材
【図１】
0004056654.tif 000002
【図２】
0004056654.tif 000003
【図３】
0004056654.tif 000004
【図４】
0004056654.tif 000005
【図５】
0004056654.tif 000006
【図６】
0004056654.tif 000007